【手続補正書】
【提出日】令和2年12月16日(2020.12.16)
【手続補正１】
【補正対象書類名】明細書
【補正対象項目名】全文
【補正方法】変更
【補正の内容】
【発明の詳細な説明】
【発明の名称】排水桝および排水構造
【技術分野】
【０００１】
本発明は、排水の流路を切り替えることができる排水桝および排水構造に関する。
【背景技術】
【０００２】
通常、建築物内に設けられた排水設備からの排水は、建築物外に埋設されている排水桝を介して下水本管に排出される。
【０００３】
ここで、例えば地震等の災害により地盤の液状化現象等が発生すると、マンホールが浮上することでマンホールに接続されている下水本管が破損してしまう場合がある。
【０００４】
また、下水本管が破損しなくても、関連設備の故障等によって下水処理場の処理機能が低下してしまう場合がある。
【０００５】
このように災害等を含め何らかの事情で排水設備から排水を十分に流下できなくなり、下水本管への排出が規制された場合には、この排水をどのように処理するかという問題が生じる。
【０００６】
そこで、例えば特許文献１に示すように、排水桝に複数の流出口を設け、排水桝内において排水の流動方向を切り替えることで、排水を流出させる流出口を変更可能なシステムが提案されている。
【０００７】
すなわち、特許文献１のシステムでは、排水桝の内部の回動体を回動させて回動体内に設けられた排水流路の下流側を第１流出口または第２流出口に接続することで、排水の流出方向を変更できる。
【先行技術文献】
【特許文献】
【０００８】
【特許文献１】特開２０１５−１４５５８４号公報
【発明の概要】
【発明が解決しようとする課題】
【０００９】
しかしながら、上述の特許文献１の構成では、第１流出口および第２流出口を流入口の軸方向に対して平面視で対称に配置する必要があるため、排水桝からの流出方向の選択肢が限定されてしまい、例えば既存の設備等には適用しにくい可能性が考えられる。
【００１０】
したがって、排水の流動方向を容易に切り替えることができるだけでなく、排水の流出方向を考慮した上で設計自由度が高い構成のものが求められていた。
【００１１】
本発明は、排水の流動方向を容易に切り替えることができる排水桝および排水構造を提供することを目的とする。
【課題を解決するための手段】
【００１２】
請求項１記載の排水桝は、排水を下水本管へ排出する配管経路に設けられる排水桝であって、桝本体と、この桝本体の内部に設けられた部材とを具備し、前記桝本体は、排水が流入する流入口と、排水を流出する複数の流出口とを有し、前記部材は、排水が流動可能な複数の排水流路を有するものである。
【００１３】
請求項２記載の排水桝は、排水を下水本管へ排出する配管経路に設けられる排水桝であって、桝本体と、この桝本体の内部に設けられた部材とを具備し、前記桝本体は、排水が流入する流入口と、排水を流出する複数の流出口とを有し、前記部材は、排水が流動可能な複数の排水流路を有し、前記流入口からの排水が前記複数の排水流路のうちの一の排水流路を流動して前記複数の流出口のうちの一の流出口に向かう状態と、前記流入口からの排水が前記複数の排水流路のうちの他の排水流路を流動して前記複数の流出口のうちの他の流出口に向かう状態とに切替可能であるものである。
【００１４】
請求項３記載の排水桝は、排水を下水本管へ排出する配管経路に設けられる排水桝であって、桝本体と、この桝本体の内部に設けられた回動体とを具備し、前記桝本体は、排水が流入する流入口と、排水を流出する複数の流出口とを有し、前記回動体は、排水が流動可能な複数の排水流路を有し、前記回動体を回動させることにより、前記複数の排水流路のうちの一の排水流路を介して前記流入口から前記複数の流出口のうちの一の流出口まで連通した状態と、前記複数の排水流路のうちの他の排水流路を介して前記流入口から前記複数の流出口のうちの他の流出口まで連通した状態とに切替可能であるものである。
【００１５】
請求項４記載の排水桝は、請求項３記載の排水桝において、回動体は、この回動体を回動させるための操作部を有するものである。
【００１６】
請求項５記載の排水構造は、請求項１ないし４のいずれか一記載の排水桝と、前記排水桝における一の流出口が接続される下水本管と、前記排水桝における他の流出口が接続される設備とを備えるものである。
【発明の効果】
【００１７】
本発明によれば、排水の流動方向を容易に切り替えることができる。
【図面の簡単な説明】
【００１８】
【図１】本発明の第１の実施の形態に係る排水桝の構成を示す平面図である。
【図２】図１におけるＡ−Ａ断面図である。
【図３】同上排水桝において排水の流動方向を変更させた状態を示す平面図である。
【図４】図３におけるＢ−Ｂ断面図である。
【図５】本発明の第２の実施の形態に係る排水桝の構成を示す平面図である。
【図６】同上排水桝において排水の流動方向を変更させた状態を示す平面図である。
【図７】同上排水桝において排水の流動方向を変更させた状態を示す平面図である。
【図８】本発明の第３の実施の形態に係る排水桝の構成を示す平面図である。
【図９】同上排水桝において排水の流動方向を変更させた状態を示す平面図である。
【発明を実施するための形態】
【００１９】
以下、本発明の第１の実施の形態の構成について図１ないし図４を参照しながら詳細に説明する。
【００２０】
図１において、１は排水桝であり、この排水桝１は、建築物等の排水設備からの排水を下水本管へ排出するための配管経路中に設けられるものである。
【００２１】
排水桝１は、設置面２に固定して設置される略円筒状の桝本体３と、この桝本体３の内部に回動可能に設けられた回動体４とを具備している。
【００２２】
桝本体３には、メンテナンス等の際や回動体４を回動させる際に使用される掃除口５と、排水設備からの排水が流入する流入口６と、外部へ排水を流出する複数の流出口７，８とを有している。
【００２３】
掃除口５は、排水桝１の上側からメンテナンス等の作業を行うことができるように、桝本体３において上方へ開口された部分により構成されている。
【００２４】
流入口６は、桝本体３の側部において外側へ向けて開口されており、図示しない配管部材を介して建築物等の排水設備に接続される。
【００２５】
流出口７は、桝本体３の側部において平面視で流入口６に対して垂直な方向へ向けて開口されており、例えば図示しない下水本管に接続されて通常時に使用されるものである。
【００２６】
流出口８は、桝本体３の下部に設けられて下方へ向けて開口されており、例えば図示しない排水貯留設備に接続されて、災害等によって下水本管への排水の排出が規制された非常時に使用されるものである。
【００２７】
また、流出口８は、桝本体３内において、流入口６より下方に配置された流出部材９にて構成されている。
【００２８】
流出部材９は、流入口６より下方において桝本体３内に固定されて下方へ向けて漸次小径となるテーパ部11と、このテーパ部11の下側に一体に接続されて下方へ延びる円筒部12とを有している。
【００２９】
また、円筒部12の下端部は、設置面２に設けられた貫通孔13より下方へ突出しており、図示しない配管部材を介して、図示しない排水貯留設備が接続される。すなわち、排水桝１とその排水桝１の流出口８（流出部材９）に接続された排水貯留設備とによって、建築物等の排水設備から排水を排出するための排水構造が構成される。
【００３０】
そして、このような排水構造では、通常時には、排水桝１から流出口７を通って下水本管へ排水が排出され、非常時には、排水桝１から流出口８を通って排水貯留設備へ排水が排出される。
【００３１】
なお、排水貯留設備は、災害時等によって下水本管への排水の排出が規制された状況において一時的に排水を貯留しておく目的での使用が想定されるが、復旧が長期間に及ぶ場合等を考慮すると、排水を貯留するだけでなく、貯留した排水を処理できるように排水処理装置を有する構成が好ましい。
【００３２】
このような排水処理装置としては、嫌気性微生物処理を行う便槽や、好気性微生物処理を行う浄化槽等が挙げられる。
【００３３】
なお、排水処理装置が好気性微生物処理を行う場合には、曝気のための動力である電力が必要であるため、排水貯留設備に排水が排出される状況を考慮し、停電に備えて太陽光発電等の予備電源を用意しておくとより好ましい。
【００３４】
回動体４は、桝本体３内にその桝本体３に対して回動可能に取り付けられた回動部14と、この回動部14とともに回動可能で流出口７，８と同数の排水流路15，16と、回動部14を回動させる際の操作部17とを有している。
【００３５】
回動部14は、外径が桝本体３の内径よりやや小さい略円形状の板部材である。すなわち、回動部14は、桝本体３内において掃除口５側と流出口８側とを仕切るように配置され、その外周縁部が桝本体３の内周面に摺動可能に接触している。
【００３６】
また、回動部14の外周部の一部には、外周縁部から円弧状に開口され流出口８に連通する開口部18が設けられている。
【００３７】
排水流路15は、回動部14に固定して設けられた平面視で円弧状に延びる管部材21で構成されている。
【００３８】
管部材21は、下部に設けられた固定部22によって回動部14に固定されており、回動部14とともに桝本体３に対して回動可能である。
【００３９】
ここで、管部材21の一端部が流入口６に対応して配置された状態では、他端部が流出口７に対応して配置される。
【００４０】
すなわち、排水流路15は、管部材21の一端部を流入口６に臨ませるようにして接続させた場合に、管部材21の他端部が流出口７に臨むように接続され、その排水流路15を介して流入口６から流出口７まで連通した状態となる。
【００４１】
そして、流入口６から排水桝１内に流入した排水が排水流路15（管部材21）によって流出口７へ案内される。
【００４２】
排水流路16は、回動部14の開口部18の周縁を囲むように一体に設けられた平面視で円弧状の板部材23で構成されている。
【００４３】
板部材23は、図３に示す平面視にて、円弧の両端部が桝本体３の内周部に摺動可能に接触している。
【００４４】
また、板部材23は、図４に示す断面視にて、回動部14における開口部18の周縁から略鉛直に立設され、その上端部が流入口６の底部より上方に位置している。そのため、板部材23が流入口６に対向するように配置された状態では、流入口６の前方の一部（排水の流動方向における下側の一部）が板部材23によって覆われる。
【００４５】
この板部材23は、回動部14とともに桝本体３に対して回動可能であり、板部材23の先端部（上端部）が排水流路16の一端部を構成し、板部材23における回動部14の開口部18に接続された基端部（下端部）が排水流路16の他端部を構成する。
【００４６】
また、板部材23で構成された排水流路16は、その板部材23の下端部が常に流出口８に連通しているため、回動部14を回動させて板部材23の上部が流入口６に対向するように配置された状態、すなわち、排水流路16の一端部を流入口６に臨ませた状態にすることで、その排水流路16を介して流入口６から流出口８まで連通した状態となる。
【００４７】
このように排水流路15と排水流路16とは、回動体４とともに回動可能で互いに独立してそれぞれ別個に排水の流動を案内可能である。そのため、回動体４を回動させることにより、排水流路15を介して流入口６から流出口７まで連通した状態と、排水流路16を介して流入口６から流出口８まで連通した状態とに切替可能である。すなわち、回動体４を回動させることによって、排水を流動させる排水流路（排水流路15または排水流路16）および流出口（流出口７または流出口８）を選択可能である。
【００４８】
次に、上記第１の実施の形態の作用および効果を説明する。
【００４９】
＜通常時＞
まず、排水設備からの排水を、排水桝１を介して下水本管へ排出させる通常時は、図１および図２に示すように、排水流路15の一端部が流入口６に臨み、排水流路15を介して流入口６から流出口７まで連通した状態にする。
【００５０】
排水流路15を介して流入口６から流出口７まで連通した状態では、流入口６から排水桝１内に流入した排水が、排水流路15に沿って流出口７へ向けて案内されるように流動し、流出口７を通って下水本管へ排出される。
【００５１】
＜非常時＞
次に、例えば災害等により下水本管への排水の排出が規制された場合等のような非常時は、掃除口５から操作部17を回動操作することにより、桝本体３に対して回動体４を回動させる。
【００５２】
すなわち、図３および図４に示すように、排水流路15を介して流入口６と流出口７とが連通しない状態にするとともに、排水流路16の一端部が流入口６に臨んで、排水流路16を介して流入口６から流出口８まで連通した状態にする。
【００５３】
排水流路16を介して流入口６から流出口８まで連通した状態では、流入口６から排水桝１内に流入した排水が、自重で排水流路16を通って流出口８へ向けて落下するように流動するとともに、流入口６から勢いよく水平方向に飛散する排水も板部材23に衝突して流出口８へ向けて落下するように流動する。
【００５４】
このように排水流路16を通過した排水は、流出口８を通って排水貯留設備へ供給されて貯留される。
【００５５】
そして、上記排水桝１によれば、回動体４が互いに独立した排水流路15，16を有するため、回動体４を回動させるだけで排水を流動させる排水流路15，16を切り替えることができ、また、排水桝１の設置箇所の状況に応じて流出口７，８および排水流路15，16の配置や構成を設計しやすい。したがって、排水桝１は、排水の流動方向を容易に切り替えることができ、かつ、設計自由度を向上できる。
【００５６】
また、排水桝１は、流出口８が桝本体３における下部に設けられていることにより、排水の落下運動を利用して流出口８から排水を排出させることができ、構成をより簡略化できる。
【００５７】
さらに、非常時に使用する流出口８を桝本体３の下部に配置することで、排水貯留設備を排水桝１の下方に設置できるため、例えば狭隘な場所に施工する際にも設置しやすい。
【００５８】
なお、上記第１の実施の形態では、流出口８に排水貯留設備が接続された構成としたが、このような構成には限定されず、流出口８には想定される使用目的等に応じて各種設備を接続してもよい。
【００５９】
また、桝本体３は、非常時に使用される流出口８が桝本体３の下部に設けられた構成としたが、このような構成には限定されず、流出口８の位置は適宜選択可能である。例えば、非常用である流出口８が桝本体３の側部に設けられた構成にすると、排水貯留設備を排水桝１の側方に設置でき、施工の際の掘削量を少なくできるため、設置箇所のスペースに十分な余裕がある場合等には、排水貯留設備を排水桝１の下方に設置する場合に比べて施工作業を容易にできる。
【００６０】
排水流路15は、一端部が流入口６に直接接続され、他端部が流出口７に直接接続される構成としたが、このような構成には限定されず、一端部を流入口６に臨ませた場合に排水流路15を介して流入口６から流出口７まで連通して、排水の経路が形成される構成であればよい。
【００６１】
排水流路16は、一端部を流入口６に対向するように臨ませ、他端部が常に流出口８に連通した構成としたが、このような構成には限定されず、一端部を流入口６に臨ませた場合に排水流路16を介して流入口６から流出口８まで連通する構成であれば、例えば排水流路15のように流入口６および流出口８に直接接続される構成にしてもよい。
【００６２】
また、桝本体３は、２つの流出口（流出口７，８）が設けられた構成としたが、流出口の数は適宜変更でき、例えば後述の第２の実施の形態のような構成にしてもよい。
【００６３】
さらに、桝本体３は、流出口（流出口７，８）と同数の排水流路（排水流路15，16）が設けられた構成としたが、このような構成には限定されず、複数の排水流路が互いに独立し各流出口に対応可能な構成であれば、流出口と異なる個数でもよい。
【００６４】
また、排水流路15，16の構成はそれぞれ適宜変更でき、互いに独立した排水流路であれば、例えば後述の第３の実施の形態のような構成にしてもよい。
【００６５】
次に、第２の実施の形態を図５ないし図７を参照して説明する。なお、上記第１の実施の形態と同一の構成及び作用については、同一符号を付してその説明を省略する。
【００６６】
この第２の実施の形態は、上記第１の実施の形態に対して、流出口７，８の他に、桝本体３の側部に流出口31が設けられたものである。
【００６７】
そして、図５に示すように、排水流路15を介して流入口６から流出口７まで連通した通常の状態から、回動体４を回動させることにより、図６に示すように、排水流路16を介して流入口６から流出口８まで連通した状態となる。
【００６８】
さらに回動体４を回動させることにより、図７に示すように、排水流路15を反転させた排水流路32を介して流入口６から流出口31まで連通した状態、すなわち、排水流路32の一端部が流入口６に臨んで、他端部が流出口31に接続された状態となる。
【００６９】
このように流出口７，８とは別個に流出口31を利用して排水を排出可能な構成にすることで、設計自由度をより向上できる。
【００７０】
次に、第３の実施の形態を図８および図９を参照して説明する。なお、上記第１の実施の形態と同一の構成及び作用については、同一符号を付してその説明を省略する。
【００７１】
この第３の実施の形態は、上記第１の実施の形態に対して、流出口８に代えて桝本体３の側部に流出口35が設けられ、排水流路16に代えて管部材36で構成された排水流路37が設けられた構成である。
【００７２】
そして、図８に示すように、排水流路15を介して流入口６から流出口７まで連通した状態から回動体４を回動させることにより、図９に示すように、排水流路37を介して流入口６から流出口35まで連通した状態となる。
【符号の説明】
【００７３】
１    排水桝
３    桝本体
４    回動体
６    流入口
７    流出口
８    流出口
15    排水流路
16    排水流路
31    流出口
32    排水流路
35    流出口
37    排水流路
【手続補正２】
【補正対象書類名】特許請求の範囲
【補正対象項目名】全文
【補正方法】変更
【補正の内容】
【特許請求の範囲】
【請求項１】
排水を下水本管へ排出する配管経路に設けられる排水桝であって、
桝本体と、
この桝本体の内部に設けられた部材とを具備し、
前記桝本体は、排水が流入する流入口と、排水を流出する複数の流出口とを有し、
前記部材は、排水が流動可能な複数の排水流路を有する
ことを特徴とする排水桝。
【請求項２】
排水を下水本管へ排出する配管経路に設けられる排水桝であって、
桝本体と、
この桝本体の内部に設けられた部材とを具備し、
前記桝本体は、排水が流入する流入口と、排水を流出する複数の流出口とを有し、
前記部材は、排水が流動可能な複数の排水流路を有し、
前記流入口からの排水が前記複数の排水流路のうちの一の排水流路を流動して前記複数の流出口のうちの一の流出口に向かう状態と、前記流入口からの排水が前記複数の排水流路のうちの他の排水流路を流動して前記複数の流出口のうちの他の流出口に向かう状態とに切替可能である
ことを特徴とする排水桝。
【請求項３】
排水を下水本管へ排出する配管経路に設けられる排水桝であって、
桝本体と、
この桝本体の内部に設けられた回動体とを具備し、
前記桝本体は、排水が流入する流入口と、排水を流出する複数の流出口とを有し、
前記回動体は、排水が流動可能な複数の排水流路を有し、
前記回動体を回動させることにより、前記複数の排水流路のうちの一の排水流路を介して前記流入口から前記複数の流出口のうちの一の流出口まで連通した状態と、前記複数の排水流路のうちの他の排水流路を介して前記流入口から前記複数の流出口のうちの他の流出口まで連通した状態とに切替可能である
ことを特徴とする排水桝。
【請求項４】
回動体は、この回動体を回動させるための操作部を有する
ことを特徴とする請求項３記載の排水桝。
【請求項５】
請求項１ないし４のいずれか一記載の排水桝と、
前記排水桝における一の流出口が接続される下水本管と、
前記排水桝における他の流出口が接続される設備とを備える
ことを特徴とする排水構造。